(57)【要約】【課題】リンクを介して駆動力の伝達が可能かつ互いに着脱が可能なユニット同士を結合するにあたり、位置合わせが容易となりかつ容易な作業で結合させることができるコンベア型洗浄機を提供する。【解決手段】すすぎユニット４と、すすぎユニット４に対して着脱可能な洗浄ユニット２と、洗浄ユニット２に配置され、コンベア装置１６Ｂに駆動力を供給するモータＭと、コンベア装置１６Ａとコンベア装置１６Ｂとの間で駆動力を伝達するリンク部材１９と、すすぎタンク４４に形成される第一嵌合孔４４ａに嵌合可能な第一凸部７１と、洗浄タンク２４に形成される第二嵌合孔２４ａに嵌合可能な第二凸部７２と、リンク部材１９が挿通される貫通孔７６と、を有する結合部材７０と、を備え、すすぎユニット４と洗浄ユニット２とは、結合部材７０を介して結合可能に設けられている。【選択図】図６
2019180894.tif 000002
【特許請求の範囲】
【請求項１】
洗浄室において、コンベア装置によって被洗浄物を搬送させながら洗浄するコンベア型洗浄機であって、
水を貯留する第一タンクと、前記被洗浄物を搬送する第一コンベア装置と、前記第一タンク及び前記第一コンベア装置を収容する第一筐体と、を有する第一ユニットと、
水が供給される第二タンクと、前記被洗浄物を搬送する第二コンベア装置と、前記第二タンク及び前記第二コンベア装置を収容する第二筐体と、を有し、前記第一ユニットに対して着脱可能な第二ユニットと、
前記第一ユニットに配置されて前記第一コンベア装置に駆動力を供給するか、又は前記第二ユニットに配置され、前記第二コンベア装置に駆動力を供給する駆動源と、
前記第一コンベア装置と前記第二コンベア装置との間で前記駆動力を伝達するリンク部材と、
一方向における一方の端部に配置され、前記第一タンクに形成される第一嵌合孔に嵌合可能な第一凸部と、前記一方向における他方の端部に配置され、前記第二タンクに形成される第二嵌合孔に嵌合可能な第二凸部と、前記一方向に沿って前記第一凸部と前記第二凸部との間を貫通すると共に前記リンク部材が挿通される貫通孔と、を有する結合部材と、を備え、
前記第一ユニットと前記第二ユニットとは、前記結合部材を介して結合可能に設けられている、コンベア型洗浄機。
【請求項２】
前記結合部材と前記第一タンクとの間、及び前記結合部材と前記第二タンクとの間には、シール部材が配置されている、請求項１記載のコンベア型洗浄機。
【請求項３】
前記結合部材は、前記第一凸部を有する第一結合部材と、前記第二凸部を有する第二結合部材とを有し、
前記第一結合部材と前記第二結合部材とは、前記第一凸部と前記第二凸部とが互いに背向する状態で結合可能に形成されており、
前記第一結合部材及び前記第二結合部材において互いに対向する部分には、互いに嵌合可能な嵌合部が形成されている、請求項１又は２記載のコンベア型洗浄機。
【請求項４】
前記嵌合部は、嵌合凹部と嵌合凸部とからなり、
前記嵌合凸部には前記嵌合凹部に向かって先細りとなる第一テーパ部が形成され、前記嵌合凹部には前記嵌合凸部に向かって末広がりとなる第二テーパ部が形成されている、請求項３記載のコンベア型洗浄機。
【発明の詳細な説明】
【技術分野】
【０００１】
本発明は、食器等の被洗浄物を搬送しながら洗浄を行うコンベア型洗浄機に関する。
【背景技術】
【０００２】
ラック内に収容された食器等の被洗浄物を、洗浄室内で延在するラックレールに沿って、コンベアにより搬送させながら、噴射ノズルの噴射水によって被洗浄物の洗浄を行うコンベア型食器洗浄機（例えば、特許文献１）が知られている。
【先行技術文献】
【特許文献】
【０００３】
【特許文献１】特開２０１１−１１０２６０号公報
【発明の概要】
【発明が解決しようとする課題】
【０００４】
このようなコンベア型洗浄機では、処理能力の向上が求められている。ところが、処理能力の向上を図るためにコンベアの速度を早くすると、ノズルから噴射される水との接触時間が短くなり、洗浄又はすすぎ能力（性能）が維持できなくなる。そこで、従来のコンベア型洗浄機の洗浄タンクに隣接する位置に、被洗浄物を洗浄したり、すすぎをしたりする水を貯留するタンクを新たに追加することが考えられる。これにより、洗浄又はすすぎ能力を維持又は向上させつつも、処理能力の向上を図ることができる。ここで、上記追加タンクを、従来のタンクと別体の追加ユニットとして設ければ、従来の洗浄タンクを有するユニットに、必要に応じて上記追加ユニットを追加することができるようになる。コンベア型洗浄機を、上述したような複数のユニットとして着脱自在に設ける場合、両者を結合する際の作業を容易にすることが求められる。
【０００５】
また、これらの追加ユニットには、被洗浄物を搬送する搬送部（コンベア装置）が設けられるが、搬送部の動力源は一つにして、リンク部材を介して一方のユニットから他方のユニットに駆動力を伝達したいという要望がある。この場合には、両ユニットは互いに正しい位置関係で結合される必要があるが、非常にシビアな調整が必要となり容易な作業ではない。一方、結合時のずれ代を大きく確保して結合作業を容易にすると、今度は、駆動軸がずれた状態で搬送部同士が接続されてしまい、動作不良の原因になったり故障の原因になったりする。
【０００６】
そこで、本発明の目的は、リンクを介して駆動力の伝達が可能かつ互いに着脱が可能なユニット同士を結合するにあたり、位置合わせが容易となりかつ容易な作業で結合させることができるコンベア型洗浄機を提供することにある。
【課題を解決するための手段】
【０００７】
本発明のコンベア型洗浄機は、洗浄室において、コンベア装置によって被洗浄物を搬送させながら洗浄するコンベア型洗浄機であって、外部から供給される水を貯留する第一タンクと、被洗浄物を搬送する第一コンベア装置と、第一タンク及び第一コンベア装置を収容する第一筐体と、を有する第一ユニットと、水が供給される第二タンクと、被洗浄物を搬送する第二コンベア装置と、第二タンク及び第二コンベア装置を収容する第二筐体と、を有し、第一ユニットに対して着脱可能な第二ユニットと、第一ユニットに配置されて第一コンベア装置に駆動力を供給するか、又は第二ユニットに配置され、第二コンベア装置に駆動力を供給する駆動源と、第一コンベア装置と第二コンベア装置との間で駆動力を伝達するリンク部材と、一方向における一方の端部に配置され、第一タンクに形成される第一嵌合孔に嵌合可能な第一凸部と、一方向における他方の端部に配置され、第二タンクに形成される第二嵌合孔に嵌合可能な第二凸部と、一方向に沿って第一凸部と第二凸部との間を貫通すると共にリンク部材が挿通される貫通孔と、を有する結合部材と、を備え、第一ユニットと第二ユニットとは、結合部材を介して結合可能に設けられている。
【０００８】
上記構成のコンベア型洗浄機では、第一ユニットと第二ユニットとは、結合部材を介して結合可能に設けられている。このため、作業者は、結合部材の第一凸部をすすぎタンクの第一嵌合孔に嵌合させ、第二凸部を洗浄タンクの第二嵌合孔に嵌合させるだけの簡単な作業で、第一ユニットと第二ユニットとの位置関係を正しいものとすることができる。また、結合部材には、リンク部材が挿通される貫通孔が形成されているので、結合部材を介した第一ユニットと第二ユニットとの結合によって、リンク部材の挿通経路が確保される。これにより、リンク部材を介して駆動力の伝達が可能かつ互いに着脱が可能な第一ユニット及び第二ユニットを結合するにあたり、位置合わせが容易となりかつ容易な作業で結合させることができる。
【０００９】
本発明のコンベア型洗浄機では、結合部材と第一タンクとの間、及び結合部材と第二タンクとの間には、シール部材が配置されていてもよい。この構成では、第一嵌合孔と結合部材との間、及び第二嵌合孔と結合部材との間におけるシール性を向上させることができる。
【００１０】
本発明のコンベア型洗浄機では、結合部材は、第一凸部を有する第一結合部材と、第二凸部を有する第二結合部材とを有し、第一結合部材と第二結合部材とは、第一凸部と第二凸部とが互いに背向する状態で結合可能に形成されており、第一結合部材及び第二結合部材において互いに対向する部分には、互いに嵌合可能な嵌合部が形成されていてもよい。この構成では、第一ユニットと第二ユニットとを結合する前に、第一結合部材を第一ユニットに取り付け、第二結合部材を第二ユニットに取り付け、第一結合部材が取り付けられた第一ユニットと第二結合部材が取り付けられた第二ユニットとを結合させることができるので、結合作業がより一層容易となる。
【００１１】
本発明のコンベア型洗浄機では、嵌合部は、嵌合凹部と嵌合凸部とからなり、嵌合凸部には嵌合凹部に向かって先細りとなる第一テーパ部が形成され、嵌合凹部には嵌合凸部に向かって末広がりとなる第二テーパ部が形成されていてもよい。この構成では、第一結合部材と第二結合部材とを嵌合させる際に厳密に位置合わせをする必要がなくなるので、結合作業がより一層容易となる。
【発明の効果】
【００１２】
本発明によれば、リンクを介して駆動力の伝達が可能かつ互いに着脱が可能なユニット同士を結合するにあたり、位置合わせが容易となりかつ容易な作業で結合させることができる。
【図面の簡単な説明】
【００１３】
【図１】第一実施形態及び第二実施形態に係るコンベア型食器洗浄機の斜視図である。
【図２】図１のコンベア型食器洗浄機を洗浄ユニットとすすぎユニットとに分解した状態を示した斜視図である。
【図３】図１のコンベア型食器洗浄機の概略構成を示す図である。
【図４】図１のコンベア型食器洗浄機に含まれるコンベア装置の斜視図である。
【図５】上部筐体における上面の前後方向における一部を拡大して示した断面図である。
【図６】（Ａ）は、第一実施形態に係る結合部材及びリンク部材の周辺を拡大して示した断面図であり、（Ｂ）は、第一実施形態に係る結合部材を分解して示した分解断面図である。
【図７】（Ａ）は、第二実施形態に係る結合部材及びリンク部材の周辺を拡大して示した断面図であり、（Ｂ）は、第二実施形態に係る結合部材を分解して示した分解断面図である。
【図８】（Ａ）は、図７（Ｂ）を更に分解して示した分解断面図であり、（Ｂ）及び（Ｃ）は、第一結合部材及び第二結合部材の斜視図である。
【発明を実施するための形態】
【００１４】
以下、図面を参照して一実施形態に係るコンベア型食器洗浄機（コンベア型洗浄機）１について説明する。図面の説明において、同一要素には同一符号を付し、重複する説明を省略する。なお、下記の「前」、「後」、「左」、「右」なる語は、ラックＲの搬送方向を「左右方向」とし、左右方向に直交する幅方向を「前後方向」とした場合に基づいている。
【００１５】
［第一実施形態］
コンベア型食器洗浄機１は、食器Ｄ等の被洗浄物を収容するためのラックＲを搬送しながら洗浄を行う装置である。図１に示されるように、コンベア型食器洗浄機１の左側には、汚れた被洗浄物としての食器（例えば皿）Ｄを収容したラックＲを載せるためのソイルドテーブルＴ１が設置され、右側には、洗浄後の食器Ｄを収容したラックＲを載せるためのクリーンテーブルＴ２が設置されてもよい。
【００１６】
図１〜図３に示されるように、コンベア型食器洗浄機１は、洗浄ユニット（第二ユニット）２と、すすぎユニット（第一ユニット）４と、を有し、互いに結合されている。洗浄ユニット２及びすすぎユニット４をそれぞれ形成する筐体（第二筐体）２１及び筐体（第一筐体）４１は、ステンレス鋼等の材料から形成された箱状部材であり、その内部には洗浄室Ｓ１，Ｓ２となる空間がそれぞれ形成されている。筐体２１，４１のそれぞれは、四本の脚２２，４２によって支持されている。洗浄ユニット２の筐体２１は、洗浄室（第二洗浄室）Ｓ２を形成する上部筐体２１ａと、洗浄タンク（第二タンク）２４が配置される下部筐体２１ｂとからなる２段構造となっている。すすぎユニット４の筐体４１は、洗浄室（第二洗浄室）Ｓ１を形成する上部筐体４１ａと、すすぎタンク（第一タンク）４４が配置される下部筐体４１ｂとからなる２段構造となっている。
【００１７】
洗浄ユニット２の上部筐体２１ａには、ラックＲの搬送方向（左右方向）に直交する面であって、互いに対向する二つの面（左面及び右面）にラックＲが通過可能な入口２１ｃ及び出口２１ｄが形成されている。すすぎユニット４の上部筐体４１ａには、ラックＲの搬送方向（左右方向）に直交する面であって、互いに対向する二つの面（左面及び右面）にラックＲが通過可能な入口４１ｃ及び出口４１ｄが形成されている。
【００１８】
洗浄ユニット２とすすぎユニット４とが結合されることによって、洗浄室Ｓ１と洗浄室Ｓ２とが一体化された洗浄室Ｓが形成される。また、洗浄ユニット２とすすぎユニット４とが結合されることによって、洗浄ユニット２の上部筐体２１ａに形成される入口２１ｃは洗浄室Ｓの入口１１ａとなり、すすぎユニット４の上部筐体４１ａに形成される出口４１ｄは洗浄室Ｓの出口１１ｂとなる。
【００１９】
筐体２１，４１には、カーテン１２Ａ及びカーテン１２Ｂが設けられている。カーテン１２Ａは、洗浄室Ｓの入口１１ａを塞ぐように、その上端が上部筐体２１ａに固定されている。カーテン１２Ｂは、洗浄室Ｓの出口１１ｂを塞ぐように、その上端が上部筐体４１ａに固定されている。カーテン１２Ａ及びカーテン１２Ｂは、短冊状の切り込みが形成されて、ラックＲの通過を可能にしている。筐体２１の前面には、洗浄室Ｓの開閉に寄与する開閉扉２３が設けられている。筐体４１の前面には、洗浄室Ｓの開閉に寄与する開閉扉４３が設けられている。
【００２０】
図２に示されるように、洗浄室Ｓは、カーテン１２Ａ、カーテン１２Ｂ、カーテン１３Ａ及びカーテン１３Ｂによって仕切られている。左右方向においてカーテン１２Ａとカーテン１３Ａとの間の空間には洗浄領域Ｓａが形成され、カーテン１３Ａとカーテン１３Ｂとの間であって洗浄ユニット２とすすぎユニット４とに跨がる空間には第一すすぎ領域Ｓｂが形成され、カーテン１３Ｂとカーテン１２Ｂとの間には第二すすぎ領域Ｓｃが形成されている。カーテン１３Ａ及びカーテン１３Ｂは、カーテン１２Ａ及びカーテン１２Ｂと同様に、短冊状の切り込みが形成されて、ラックＲの通過を可能にしている。洗浄室Ｓには、ソイルドテーブルＴ１とクリーンテーブルＴ２との間を架け渡すように前後方向に一対のラックレール１４が設けられている。一対のラックレール１４，１４は、ラックＲの搬送方向に沿って延在している。
【００２１】
洗浄ユニット２の下部筐体２１ｂには、一対のラックレール１４，１４が固定されている。図４に示されるように、一対のラックレール１４，１４は、ラックＲの底面Ｒａが摺動するラック摺動面として利用される上板１４Ａと、コンベア装置（第二コンベア装置）１６Ｂに取付けられた案内ローラ１８Ａが転動するローラ転動面として利用される下板１４Ｂと、ラックＲの横ズレを防止する案内バー１４Ｃと、を有している。
【００２２】
洗浄ユニット２の下部筐体２１ｂには、コンベア装置１６Ｂが設けられている。コンベア装置１６Ｂは、ラックレール１４に沿って延在する枠体１７を有する。枠体１７は、ラックレール１４に沿って延在し、互いに平行な第１フレーム１７Ａと、第１フレーム１７Ａの端を架け渡す第２フレーム１７Ｂとからなる。第１フレーム１７Ａには、水平方向に突出する案内ローラ１８Ａが回動自在に軸支されている。案内ローラ１８Ａは、第１フレーム１７Ａの前後に二個設けられ、ラックレール１４のローラ転動面上を転動する。
【００２３】
第１フレーム１７Ａには、出没可能な送り爪１８Ｂが所定間隔で配置されている。各送り爪１８Ｂは、第１フレームに固定された軸部１８Ｃによって揺動自在に構成されている。送り爪１８Ｂは、その下端側が重くなっているので、自重により突出状態に復帰する。枠体１７は、ギヤードモータ等のモータ（駆動源）Ｍ（図３参照）によって偏心回転される回転板１８Ｄ（図３参照）に連結されている。このような構成により、枠体１７は、回転板１８Ｄが一回転する毎に、左右方向に一往復する。
【００２４】
枠体１７が前進する場合には、送り爪１８Ｂが枠体１７から突出する。これにより、ラックＲは、底側の桟に送り爪１８Ｂの先端が引っ掛けられて前進させられる。枠体１７が後退する場合には、送り爪１８Ｂが枠体１７内に沈み込む。これにより、枠体１７が後退しても、ラックＲに送り爪１８Ｂが引っ掛かることもなく、ラックＲは、その位置から動くことはない。次に、枠体１７が前進すると、枠体１７から突出した送り爪１８ＢがラックＲの底の桟に引っ掛かり、ラックＲを前進させる。コンベア装置１６Ｂは、このような動作を繰り返すことで、ラックＲを、一対のラックレール１４，１４に沿って搬送方向に、所定ピッチずつ送ることができる。
【００２５】
すすぎユニット４の下部筐体４１ｂには、洗浄ユニット２の下部筐体２１ｂと同様に、一対のラックレール１４，１４が固定されている。一対のラックレール１４，１４についての詳細な説明は省略する。また、すすぎユニット４の下部筐体４１ｂには、コンベア装置（第一コンベア装置）１６Ａが設けられている。コンベア装置１６Ａの構成は、コンベア装置１６Ｂと同じであるので、詳細な説明は省略する。洗浄ユニット２に設けられるコンベア装置１６Ｂと、すすぎユニット４に設けられるコンベア装置１６Ａとは、リンク部材１９（図６（Ａ）参照）によって接続されている。リンク部材１９は、前後方向に二つ設けられている。これにより、すすぎユニット４に設けられるコンベア装置１６Ａは、洗浄ユニット２に設けられるコンベア装置１６Ｂからリンク部材１９を介してモータＭの駆動力が伝達される。なお、図４では、リンク部材１９の記載を省略している。
【００２６】
図３に示されるように、洗浄ユニット２は、洗浄タンク２４と、洗浄ポンプＰ１と、洗浄ポンプＰ２と、上側洗浄ノズル２５と、下側洗浄ノズル２６と、ドレンパイプ２８と、水位検知センサ３７と、洗浄スイッチ６Ａと、第一すすぎスイッチ６Ｂと、排水熱回収装置３４と、を有している。そして、洗浄領域Ｓａには、洗浄室Ｓの上方から洗浄水を噴射する上側洗浄ノズル２５と、洗浄室Ｓの下方から洗浄水を噴射する下側洗浄ノズル２６と、が配置されている。上側洗浄ノズル２５は、給水パイプ２９を介して洗浄ポンプＰ１に接続されている。下側洗浄ノズル２６は、給水パイプ３０を介して洗浄ポンプＰ２に接続されている。各洗浄ポンプＰ１，Ｐ２の吸込み口は、洗浄タンク２４に連通しており、上側洗浄ノズル２５及び下側洗浄ノズル２６に洗浄タンク２４に貯留されている水を供給する。
【００２７】
洗浄タンク２４の余剰な洗浄水は、排出孔３３から排出される。また、洗浄タンク２４には、排出孔３３よりも高い位置に流入口が配置されるドレンパイプ２８が設けられている。ドレンパイプ２８は、洗浄タンク２４の底面に対して取り外し可能に構成されている。これにより、使用者がドレンパイプ２８を取り外すことで、ドレンパイプ２８が差し込まれていた排水口が洗浄タンク２４の底面に露出し、洗浄タンク２４に貯留された水を完全に排水することができる。
【００２８】
水位検知センサ３７は、洗浄タンク２４の水位が所定の水位を超えている場合にＯＮとなり、所定の水位以下の場合にＯＦＦとなるセンサである。水位検知センサ３７が取得した当該水位のＯＮ及びＯＦＦに関する情報は、コントローラ９０（図１参照）によって読み取られる。水位検知センサ３７は、洗浄タンク２４の満水位よりも下方、かつ、洗浄ポンプＰ１，Ｐ２の吸込み口よりも上方に取り付けられている。洗浄ポンプＰ１，Ｐ２は、駆動中に空気を吸い込むと、いわゆるエア噛みを起こして上側洗浄ノズル２５及び下側洗浄ノズル２６から洗浄水を噴射できなくなる。第一実施形態では、水位検知センサ３７がＯＦＦになったときに洗浄ポンプＰ１，Ｐ２の駆動を停止することで、洗浄ポンプＰ１，Ｐ２による空気の吸い込みを防止する。洗浄ユニット２は、洗浄室Ｓにおける洗浄領域Ｓａ内に洗剤を供給する洗剤供給装置（図示せず）を更に備えている。
【００２９】
排水熱回収装置３４は、洗浄タンク２４から排出される水と、給水源から給水される水との間で熱を交換する。排水熱回収装置３４によって温度が上昇された水は、後述するガスブースタ５５の貯湯タンク５４に供給される。
【００３０】
洗浄スイッチ６Ａは、洗浄領域ＳａにラックＲが進入したことを検知する。第一すすぎスイッチ６Ｂは、第一すすぎ領域ＳｂにラックＲが進入したことを検知する。洗浄スイッチ６Ａ及び第一すすぎスイッチ６Ｂが上記事象を検知したことは、コントローラ９０によって読み取られる。
【００３１】
すすぎユニット４は、すすぎタンク４４と、すすぎポンプＰ３と、第一上側すすぎノズル４５と、第一下側すすぎノズル４６と、ドレンパイプ４８と、第二上側すすぎノズル５１と、第二下側すすぎノズル５２と、すすぎポンプＰ４と、水位検知センサ５７と、を有している。上述した第一すすぎ領域Ｓｂには、洗浄室Ｓの上方からすすぎ水を噴射する第一上側すすぎノズル４５と、洗浄室Ｓの下方からすすぎ水を噴射する第一下側すすぎノズル４６と、が配置されている。第一上側すすぎノズル４５及び第一下側すすぎノズル４６は、給水パイプ４９を介してすすぎポンプＰ３に接続されている。すすぎポンプＰ３の吸込み口は、すすぎタンク４４に連通しており、第一上側すすぎノズル４５及び第一下側すすぎノズル４６にすすぎタンク４４の水を供給する。
【００３２】
すすぎタンク４４には、ドレンパイプ４８が配置されており、すすぎタンク４４の余剰な洗浄水は、ドレンパイプ４８を介して外部に排出される。ドレンパイプ４８は、すすぎタンク４４の底面に対して取り外し可能に構成されている。これにより、使用者がドレンパイプ４８を取り外すことで、ドレンパイプ４８が差し込まれていた排水口がすすぎタンク４４の底面に露出し、すすぎタンク４４に貯留された水を完全に排水することができる。
【００３３】
第二すすぎ領域Ｓｃには、上方からすすぎ水を噴射する第二上側すすぎノズル５１と、下方からすすぎ水を噴射する第二下側すすぎノズル５２と、が配置されている。第二上側すすぎノズル５１及び第二下側すすぎノズル５２は、給水パイプ５３を介してすすぎポンプＰ４に接続されている。このすすぎポンプＰ４の吸込み口は、すすぎユニット４の外部に配置されるガスブースタ５５（又は電気ブースタ）に備えられる貯湯タンク５４と接続されている。貯湯タンク５４には、ガスブースタ５５等によってすすぎに適した温度まで加熱された清浄な水が貯留されている。ガスブースタ５５等には、上述した排水熱回収装置３４によって昇温された水が供給される。
【００３４】
水位検知センサ５７は、すすぎタンク４４の水位が所定の水位を超えている場合にＯＮとなり、所定の水位以下の場合にＯＦＦとなるセンサである。水位検知センサ５７によって検知された当該水位のＯＮ及びＯＦＦに関する情報は、コントローラ９０（図１参照）によって読み取られる。水位検知センサ５７は、すすぎタンク４４の満水位よりも下方、かつ、すすぎポンプＰ３の吸込み口よりも上方に取り付けられている。これにより、洗浄タンク２４に設けられる水位検知センサ３７と同様に、水位検知センサ５７は、すすぎポンプＰ３による空気の吸い込みを防止することができる。すすぎユニット４は、洗浄室Ｓにおける第二すすぎ領域Ｓｃ内にリンス剤を供給するリンス剤供給装置（図示せず）を更に備えている。
【００３５】
第二すすぎスイッチ６Ｃは、第二すすぎ領域ＳｃにラックＲが進入したことを検知する。第二すすぎスイッチ６Ｃが上記事象を検知したことは、コントローラ９０によって読み取られる。
【００３６】
すすぎタンク４４と洗浄タンク２４とは接続ホース７によって接続されている。すすぎタンク４４と洗浄タンク２４とは互いに連通している。すすぎタンク４４において所定貯留量を超えた水は、接続ホース７に流れ込み、接続ホース７を介して洗浄タンク２４に流れ込む。すなわち、洗浄タンク２４に貯留される水は、すすぎタンク４４から供給される。
【００３７】
コンベア型食器洗浄機１には、コンベア型食器洗浄機１における動作全般を制御するコントローラ９０が内蔵された電装ボックス９０Ａが設けられている。コントローラ９０は、集積回路に実装されたコンピュータシステムあるいはプロセッサである。コントローラ９０は、ＣＰＵ（Central  Processing  Unit）、ＲＯＭ（Read  Only  Memory）、ＲＡＭ（Random  Access  Memory）等、相互に接続されている。コンベア型食器洗浄機１における各種動作処理は、例えばＲＯＭに格納されているプログラムがＲＡＭ上にロードされてＣＰＵで実行される。表示操作部９５は、下部筐体２１ｂの前面に設けられており、作業者から各種操作の受付、コンベア型食器洗浄機１における状態の表示等を行う。
【００３８】
洗浄ユニット２とすすぎユニット４とは、互いに着脱可能に設けられている。また、洗浄ユニット２とすすぎユニット４とは、下記に詳述するとおり、ネジ６５等の締結部、及び、結合部材７０を介して結合される。以下、洗浄ユニット２とすすぎユニット４とにおける結合構造について説明する。
【００３９】
図２及び図３に示される洗浄ユニット２とすすぎユニット４との結合部Ｘの構成について説明する。図５に示されるように、上部筐体２１ａの上面１２１ａには、出口２１ｄの一部を覆うように下方向に延びる出口形成部２１ｅが形成されている。同様に、上部筐体４１ａの上面１４１ａは、入口４１ｃの一部を覆うように下方向に延びる入口形成部４１ｅを有している。
【００４０】
上部筐体４１ａの上面１４１ａには、前後方向から見た断面視において、上下方向に延在する第一延在部６０ａ及び第二延在部６０ｂと、左右方向に延在する第三延在部６０ｃ及び第四延在部６０ｄと、を有するスペーサ６０が設けられている。第一延在部６０ａ及び第三延在部６０ｃは、入口形成部４１ｅの下端を回り込むように延在する。第一延在部６０ａは、入口４１ｃを正面に見たとき、入口形成部４１ｅの前面に配置される。第四延在部６０ｄは、スポット溶接によって上部筐体４１ａに固定されている。また、上面１４１ａには、上記断面視において、上部筐体４１ａと第一延在部６０ａと第二延在部６０ｂと第三延在部６０ｃとによって囲まれる空間Ｓ５が形成されている。
【００４１】
このような構成の上部筐体４１ａ及び上部筐体２１ａにおいて、洗浄ユニット２とすすぎユニット４とは、互いに対向する出口形成部２１ｅと入口形成部４１ｅとでパッキン６３を挟み込んだ状態でネジ６５によって結合される。このとき、第一延在部６０ａは、左右方向において、出口形成部２１ｅと入口形成部４１ｅとの間に配置される。これにより、出口形成部２１ｅと入口形成部４１ｅとをネジ６５によって締結した場合であっても、パッキン６３の厚みｔ２がスペーサ６０の厚みｔ１よりも潰されることはない。これにより、適正なパッキン６３の潰れ代を維持することができる。さらに、上記空間Ｓ５は、ネジ６５の先端６５ａを内包するため、清掃時等に作業者がネジ６５の先端６５ａで負傷するようなことが防止できる。
【００４２】
このような構成のスペーサ６０は、上部筐体４１ａの上面１４１ａに配置されるだけでなく、図２に示される上部筐体４１ａの前面１４１ｂ及び後面１４１ｃにも配置されている。
【００４３】
次に、結合部材７０について説明する。図６（Ａ）及び図６（Ｂ）に示されるように、すすぎタンク４４には第一嵌合孔４４ａが形成され、洗浄タンク２４には第二嵌合孔２４ａが形成されている。結合部材７０は、一方向における一方の端部に配置され、第一嵌合孔４４ａに嵌合可能な第一凸部７１と、一方向における他方の端部に配置され、第二嵌合孔２４ａに嵌合可能な第二凸部７２と、一方向に沿って第一凸部７１と第二凸部７２との間を貫通すると共に、リンク部材１９が挿通される貫通孔７６と、を有している。すすぎユニット４と洗浄ユニット２とは、結合部材７０を介して結合可能に設けられている。
【００４４】
洗浄ユニット２とすすぎユニット４とが結合された状態において、第一凸部７１は第一嵌合孔４４ａに嵌合されている。第一嵌合孔４４ａの内径は、第一凸部７１の外形よりも若干大きなサイズに形成されている。言い換えれば、第一嵌合孔４４ａと第一凸部７１との嵌合はあそびが少ない。また、洗浄ユニット２とすすぎユニット４とが結合された状態において、第二凸部７２は第二嵌合孔２４ａに嵌合されている。第二嵌合孔２４ａの内径は、第二凸部７２の外形よりも若干大きなサイズに形成されている。言い換えれば、第二嵌合孔２４ａと第二凸部７２との嵌合はあそびが少ない。
【００４５】
洗浄ユニット２とすすぎユニット４とが結合された状態において、貫通孔７６にはリンク部材１９が内挿されている。すなわち、リンク部材１９は、結合部材７０を介して、洗浄タンク２４及びすすぎタンク４４を貫通している。貫通孔７６の内径は、リンク部材１９の外形に比べて大きい。
【００４６】
洗浄ユニット２とすすぎユニット４とが結合された状態において、結合部材７０とすすぎタンク４４との間には、Ｏリング（シール部材）７３Ｂが配置され、結合部材７０と洗浄タンク２４との間には、Ｏリング（シール部材）７３Ａが配置されている。すすぎタンク４４と結合部材７０との固定及び洗浄タンク２４と結合部材７０との固定は、結合ネジ７４Ａ，７４Ｂによって行われている。
【００４７】
次に、第一実施形態における洗浄ユニット２とすすぎユニット４との結合手順について説明する。洗浄ユニット２及びすすぎユニット４は、店舗等の設置場所で結合作業が行われる。まず、上述したような結合部材７０を準備して、例えば、洗浄タンク２４に結合部材７０を取り付ける。具体的には、Ｏリング７３Ａを挟み込むように、第二嵌合孔２４ａに結合部材７０の第二凸部７２を嵌合させる。嵌合状態にある洗浄タンク２４と結合部材７０とにおいて、結合ネジ７４Ａが挿通される洗浄タンク２４及び結合部材７０に形成されるネジ用貫通孔は軸線が一致している。次に、嵌合状態にある洗浄タンク２４と結合部材７０とを結合ネジ７４Ａで一体的に固定する。
【００４８】
次に、リンク部材１９の他端側に、すすぎユニット４に設けられたコンベア装置１６Ａの被接続部が位置するように、すすぎユニット４を移動させる。具体的には、すすぎタンク４４に形成された第一嵌合孔４４ａに結合部材７０の第一凸部７１を嵌合するように、すすぎユニット４を移動させる。このとき、Ｏリング７３Ｂを挟み込むように、第一嵌合孔４４ａに結合部材７０の第一凸部７１を嵌合させる。嵌合状態にあるすすぎタンク４４と結合部材７０とにおいて、結合ネジ７４Ｂが挿通されるすすぎタンク４４及び結合部材７０に形成されるネジ用貫通孔は軸線が一致している。次に、嵌合状態にあるすすぎタンク４４と結合部材７０とを結合ネジ７４Ｂで一体的に固定する。そして、結合部材７０の貫通孔７６にリンク部材１９を挿通させ、リンク部材１９の一端側を洗浄ユニット２に備えられたコンベア装置１６Ｂに接続し、リンク部材１９の他端側をすすぎユニット４に備えられたコンベア装置１６Ａに接続する。
【００４９】
この状態において、図５に示される上部筐体２１ａに形成される出口形成部２１ｅと上部筐体４１ａに形成される入口形成部４１ｅとは互いに対向している。そこで、出口形成部２１ｅと入口形成部４１ｅとの間にパッキン６３を配置し、ネジ６５によって出口形成部２１ｅと入口形成部４１ｅとを締結する。以上の作業により、洗浄ユニット２とすすぎユニット４とが結合される。
【００５０】
第一実施形態のコンベア型食器洗浄機１では、すすぎユニット４と洗浄ユニット２とは、結合部材７０を介して結合可能に設けられている。このため、作業者は、結合部材７０の第一凸部７１をすすぎタンク４４の第一嵌合孔４４ａに嵌合させ、第二凸部７２を洗浄タンク２４の第二嵌合孔２４ａに嵌合させるだけの簡単な作業で、すすぎユニット４と洗浄ユニット２との位置関係を正しいものとすることができる。また、結合部材７０には、リンク部材１９が挿通される貫通孔７６が形成されているので、結合部材７０を介したすすぎユニット４と洗浄ユニット２との結合によって、リンク部材１９の挿通経路が確保される。これにより、リンク部材１９を介して駆動力の伝達が可能かつ互いに着脱が可能なすすぎユニット４及び洗浄ユニット２を結合するにあたり、位置合わせが容易となりかつ容易な作業で結合させることができる。
【００５１】
第一実施形態のコンベア型食器洗浄機１では、結合部材７０とすすぎタンク４４との間、及び結合部材７０と洗浄タンクとの間には、Ｏリング７３Ｂ，７３Ａが配置されているので、第一嵌合孔４４ａと結合部材７０との間、及び第二嵌合孔２４ａと結合部材７０との間におけるシール性を向上させることができる。
【００５２】
［第二実施形態］
第二実施形態に係るコンベア型食器洗浄機１０１は、洗浄ユニット２とすすぎユニット４とを結合する際の結合部材１７０の構成が異なっている。その他の構成については、第一実施形態のコンベア型食器洗浄機１と同じである。よって、ここでは、第一実施形態と構成の異なる結合部材１７０について、主に図７（Ａ）、図７（Ｂ）、図８（Ａ）、図８（Ｂ）、及び図８（Ｃ）を用いて説明を行う。
【００５３】
図８（Ｂ）及び図８（Ｃ）に示されるように、結合部材１７０は、第一嵌合孔４４ａに嵌合可能な第一凸部１７１ｂを有する第一結合部材１７１と、第二嵌合孔２４ａに嵌合可能な第二凸部１７２ｂを有する第二結合部材１７２とを有している。図７（Ａ）、図７（Ｂ）及び図８（Ａ）に示されるように、第一結合部材１７１と第二結合部材１７２とは、第一凸部１７１ｂと第二凸部１７２ｂとが互いに背向する状態で結合可能に形成されている。第一結合部材１７１及び第二結合部材１７２において互いに対向する部分には、互いに嵌合可能な嵌合凸部（嵌合部）１７１ａと嵌合凹部（嵌合部）１７２ａとが形成されている。嵌合凸部１７１ａには嵌合凹部１７２ａに向かって先細りとなる第一テーパ部１７１ｃが形成され、嵌合凹部１７２ａには嵌合凸部１７１ａに向かって末広がりとなる第二テーパ部１７２ｃが形成されている。第一結合部材１７１と第二結合部材１７２とはＯリング１７３Ｂを介して結合される。
【００５４】
第一結合部材１７１及び第二結合部材１７２が結合された状態において、結合部材１７０は、一方向における一方の端部に配置され、第一嵌合孔４４ａに嵌合可能な第一凸部１７１ｂと、一方向における他方の端部に配置され、第二嵌合孔２４ａに嵌合可能な第二凸部１７２ｂと、一方向に沿って第一凸部１７１ｂと第二凸部１７２ｂとの間を貫通すると共に、リンク部材１９が挿通される貫通孔１７６ｂ，１７６ｃと、を有している。すすぎユニット４と洗浄ユニット２とは、結合部材１７０を介して結合可能に設けられている。
【００５５】
洗浄ユニット２とすすぎユニット４とが結合された状態において、第一凸部１７１ｂは第一嵌合孔４４ａに嵌合されている。第一嵌合孔４４ａの内径は、第一凸部１７１ｂの外形よりも若干大きなサイズに形成されている。言い換えれば、第一嵌合孔４４ａと第一凸部１７１ｂとの嵌合はあそびが少ない。また、洗浄ユニット２とすすぎユニット４とが結合された状態において、第二凸部１７２ｂは第二嵌合孔２４ａに嵌合されている。第二嵌合孔２４ａの内径は、第二凸部１７２ｂの外形よりも若干大きなサイズに形成されている。言い換えれば、第二嵌合孔２４ａと第二凸部１７２ｂとの嵌合はあそびが少ない。
【００５６】
洗浄ユニット２とすすぎユニット４とが結合された状態において、貫通孔１７６ｂ，１７６ｃにはリンク部材１９が内挿されている。すなわち、リンク部材１９は、結合部材１７０を介して、洗浄タンク２４及びすすぎタンク４４を貫通している。貫通孔１７６ｂ，１７６ｃの内径は、リンク部材１９の外形に比べて大きい。
【００５７】
洗浄ユニット２とすすぎユニット４とが結合された状態において、結合部材１７０とすすぎタンク４４との間には、Ｏリング（シール部材）１７３Ｃが配置される。すすぎタンク４４と結合部材１７０（第一結合部材１７１）との固定は、結合ネジ１７４Ｂによって行われている。結合ネジ１７４Ｂは、すすぎタンク４４の内側に配置された押さえ板１７９、すすぎタンク４４、Ｏリング１７３Ｃ及び第一結合部材１７１を一体的に固定している。
【００５８】
洗浄ユニット２とすすぎユニット４とが結合された状態において、結合部材１７０と洗浄タンク２４との間には、Ｏリング（シール部材）１７３Ａが配置されている。洗浄タンク２４と結合部材１７０（第二結合部材１７２）との固定は、固定ナット１７７によって行われている。固定ナット１７７は、ネジ溝が形成された挿通孔１７７ａが形成されており、挿通孔１７７ａの位置と第二嵌合孔２４ａの位置とが一致するように洗浄タンク２４の内側に配置される。そして、第二結合部材１７２は、固定ナット１７７との間で洗浄タンク２４及びＯリング１７３Ａを挟み込むように、固定ナット１７７に螺合されて固定される。結合ネジ１７４Ａは、第一結合部材１７１に螺合されており、すすぎタンク４４の内側に配置された押さえ板１７９、固定ナット１７７，洗浄タンク２４、Ｏリング１７３Ａ、第二結合部材１７２、Ｏリング１７３Ｂ、及び第一結合部材１７１を一体的に固定している。
【００５９】
次に、第二実施形態における洗浄ユニット２とすすぎユニット４との結合手順について説明する。洗浄ユニット２及びすすぎユニット４は、店舗等の設置場所で結合作業が行われる。店舗等での洗浄ユニット２とすすぎユニット４との結合作業に先がけて、工場にて、上述した第一結合部材１７１がすすぎタンク４４に取り付けられ、第二結合部材１７２が洗浄タンク２４に取り付けられる。
【００６０】
まず、上述したような結合部材１７０を準備して、洗浄タンク２４に形成された第二嵌合孔２４ａに第二結合部材１７２を取り付ける。具体的には、第二結合部材１７２の第二凸部１７２ｂを、Ｏリング１７３Ａを挟み込むように第二嵌合孔２４ａに嵌合させ、第二結合部材１７２に対し洗浄タンク２４を挟み込んだ状態で配置された固定ナット１７７に螺合させる。第二嵌合孔２４ａの第二凸部１７２ｂに対するあそびは比較的小さく、位置ずれが生じにくくなっている。これにより、洗浄タンク２４への第二結合部材１７２の取り付けが完了する。
【００６１】
次に、すすぎタンク４４に形成された第一嵌合孔４４ａに第一結合部材１７１を取り付ける。具体的には、第一結合部材１７１の第一凸部１７１ｂを、Ｏリング１７３Ｃを挟み込むように第一嵌合孔４４ａに嵌合させる。第一嵌合孔４４ａの第一凸部１７１ｂに対するあそびは比較的小さく、位置ずれが生じにくくなっている。嵌合状態にあるすすぎタンク４４と第一結合部材１７１とにおいて、結合ネジ１７４Ｂが挿通されるすすぎタンク４４及び第一結合部材１７１に形成されるネジ用貫通孔は軸線が一致している。次に、結合ネジ１７４Ｂによって、すすぎタンク４４の内側に配置された押さえ板１７９、すすぎタンク４４、Ｏリング１７３Ｃ及び第一結合部材１７１を一体的に固定する。これにより、すすぎタンク４４への第一結合部材１７１の取り付けが完了する。
【００６２】
次に、店舗等での洗浄ユニット２とすすぎユニット４との結合作業について説明する。まず、洗浄ユニット２における出口２１ｄとすすぎユニット４における入口４１ｃとを向かい合わせて、第一結合部材１７１と第二結合部材１７２とを結合する。具体的には、Ｏリング１７３Ｂを挟み込んだ状態で第一結合部材１７１及び第二結合部材１７２に形成された嵌合凸部１７１ａと嵌合凹部１７２ａとを嵌合させる。
【００６３】
嵌合状態にある洗浄タンク２４と結合部材１７０とにおいて、結合ネジ１７４Ａが挿通される洗浄タンク２４、第一結合部材１７１及び第二結合部材１７２に形成されるネジ用貫通孔は軸線が一致している。そして、嵌合状態にある第一結合部材１７１と第二結合部材１７２とに対し、結合ネジ１７４Ａを第一結合部材１７１に螺合させて、洗浄タンク２４の内側に配置された押さえ板１７８、洗浄タンク２４、Ｏリング１７３Ａ、第二結合部材１７２、Ｏリング１７３Ｂ、及び第一結合部材１７１を一体的に固定する。
【００６４】
ここで、図８（ａ）に示されるように、第二結合部材１７２におけるネジ用貫通孔１７２ｅの洗浄タンク２４側の内径Φ１は、結合ネジ１７４Ａの直径Φ２よりも大きくなるように形成されている。更に詳細には、第二結合部材１７２の嵌合凹部１７２ａにおける嵌合凸部１７１ａ側端部の内径をΦ３、第一結合部材１７１の嵌合凸部１７１ａにおける嵌合凹部１７２ａ側端部の外径をΦ４としたとき、上記内径Φ１は、下記の関係を有している。
（Φ１−Φ２）≧（Φ３−Φ４）
これにより、第一結合部材１７１と第二結合部材１７２とを嵌合させた後に結合ネジ１７４Ａによる締結を行う上記手順において、第一結合部材１７１と第二結合部材１７２とが多少ずれた状態で嵌合されていたとしても、結合ネジ１７４Ａによる締結が可能となる。
【００６５】
次に、結合状態にあるすすぎユニット４及び洗浄ユニット２の結合部材１７０の貫通孔１７６ｂ，１７６ｃにリンク部材１９を挿通させ、リンク部材１９の一端側を洗浄ユニット２に備えられたコンベア装置１６Ｂに接続し、リンク部材１９の他端側をすすぎユニット４に設けられたコンベア装置１６Ａに接続する。この状態において、図５に示される上部筐体２１ａに形成される出口形成部２１ｅと上部筐体４１ａに形成される入口形成部４１ｅとは互いに対向している。そこで、出口形成部２１ｅと入口形成部４１ｅとの間にパッキン６３を配置し、ネジ６５によって出口形成部２１ｅと入口形成部４１ｅとを締結する。以上の作業により、洗浄ユニット２とすすぎユニット４とが結合される。
【００６６】
第二実施形態のコンベア型食器洗浄機１０１は、第一実施形態のコンベア型食器洗浄機１が奏する効果に加えて、下記の効果を奏する。すなわち、互いに嵌合可能かつ着脱可能な第一結合部材１７１と第二結合部材１７２とからなる結合部材１７０を有するコンベア型食器洗浄機１０１では、すすぎユニット４と洗浄ユニット２とを結合する前に、第一結合部材１７１をすすぎユニット４に取り付け、第二結合部材１７２を洗浄ユニット２に取り付け、第一結合部材１７１が取り付けられたすすぎユニット４と第二結合部材１７２が取り付けられた洗浄ユニット２とを結合させることができるので、結合作業がより一層容易となる。
【００６７】
第二実施形態のコンベア型食器洗浄機１０１では、第一結合部材１７１の嵌合凸部１７１ａには嵌合凹部１７２ａに向かって先細りとなる第一テーパ部１７１ｃが形成され、第二結合部材１７２の嵌合凹部１７２ａには嵌合凸部１７１ａに向かって末広がりとなる第二テーパ部１７２ｃが形成されている。この構成では、第一結合部材１７１と第二結合部材１７２とを嵌合させる際に厳密に位置合わせをする必要がなくなるので、結合作業がより一層容易となる。更に、すすぎユニット４及び洗浄ユニット２と結合部材１７０とを結合ネジ１７４Ａで締めていくに連れ、第一テーパ部１７１ｃ及び第二テーパ部１７２ｃの作用によって、すすぎユニット４と洗浄ユニット２とが互いに正しい位置で固定されるようになる。
【００６８】
以上、第一及び第二実施形態について説明したが、本発明は、上記実施形態に限られるものではなく、発明の趣旨を逸脱しない範囲で種々の変形が可能である。
【００６９】
上記実施形態のコンベア型食器洗浄機１，１０１では、モータＭが洗浄ユニット２に配置され、コンベア装置１６Ｂに駆動力を供給する例を挙げて説明したが、モータＭがすすぎユニット４に配置され、コンベア装置１６Ａに駆動力を供給する構成であってもよい。
【００７０】
上記第二実施形態及びその変形例では、すすぎユニット４に第一結合部材１７１が取り付け可能、洗浄ユニット２に第二結合部材１７２が取り付け可能な構成を示したが、すすぎユニット４に第二結合部材１７２が取り付け可能、洗浄ユニット２に第一結合部材１７１が取り付け可能な構成としてもよい。
【００７１】
上記実施形態では、主に洗浄機能を担う洗浄ユニットと主にすすぎ機能を担うすすぎユニットとを結合した例を挙げて説明したが、主に洗浄機能を担う洗浄ユニット同士を結合してもよいし、主にすすぎ機能を担うすすぎユニット同士を結合してもよい。
【００７２】
上記第一実施形態、第二実施形態、及びその変形例では、ユニット同士のタンクは接続ホース７を介して接続される例を挙げて説明したが、一方のタンクから溢れた水が他方のタンクに供給されたり、それぞれのタンクに水が供給されたりするような構成であってもよい。
【００７３】
上記実施形態又は変形例では、食器ＤがラックＲに収容された状態で搬送される構成のコンベア型食器洗浄機１に本発明を適用した例を挙げて説明したが、例えば、食器Ｄが直接載置された状態で食器Ｄを搬送することができる搬送装置（フライトコンベア）を備えた食器洗浄機に本発明を適用してもよい。
【００７４】
本発明は、上記実施形態及びその他の変形例として記載の内容を適宜組み合わせてもよい。
【符号の説明】
【００７５】
１…コンベア型食器洗浄機、２…洗浄ユニット（第二ユニット）、４…すすぎユニット（第一ユニット）、１６Ａ…コンベア装置（第一コンベア装置）、１６Ｂ…コンベア装置（第二コンベア装置）、１９…リンク部材、２１…筐体（第二筐体）、２４…洗浄タンク、２４ａ…第二嵌合孔、４１…筐体（第一筐体）、４４…すすぎタンク（第一タンク）、４４ａ…第一嵌合孔、６０…スペーサ、７０…結合部材、７１…第一凸部、７２…第二凸部、７６…貫通孔、１０１…コンベア型食器洗浄機、１７０…結合部材、１７１…第一結合部材、１７１ａ…嵌合凸部、１７１ｂ…第一凸部、１７１ｃ…第一テーパ部、１７２…第二結合部材、１７２ａ…嵌合凹部、１７２ｂ…第二凸部、１７２ｃ…第二テーパ部、１７６ｂ，１７６ｃ…貫通孔、Ｄ…食器（被洗浄物）、Ｍ…モータ（駆動源）、Ｐ１，Ｐ２…洗浄ポンプ、Ｐ３，Ｐ４…すすぎポンプ、Ｒ…ラック。
【図１】
2019180894.tif 000003
【図２】
2019180894.tif 000004
【図３】
2019180894.tif 000005
【図４】
2019180894.tif 000006
【図５】
2019180894.tif 000007
【図６】
2019180894.tif 000008
【図７】
2019180894.tif 000009
【図８】
2019180894.tif 000010